(57)【要約】【課題】  美観およびファッション性にすぐれ且つ宝石を任意の位置に確実に固定することができるようにした装身具を提供することである。【解決手段】  この装身具は、宝石が取付けられる複数の台座２と、これら台座２を貫通するチェーン１とを有し、台座２がチェーン１に沿って移動可能に構成し、且つ台座２がチェーン１に沿って移動するとき、台座２とチェーン１との間に摩擦を付与する摩擦付与手段１０が設けられ、この摩擦付与手段１０は、チェーン１の一部を台座２に押圧する板バネ１１から成っている。【選択図】  図２
2005287999.tif 000002
【特許請求の範囲】
【請求項１】
宝石が取付けられる台座と、この台座を貫通するチェーンとを有し、前記台座が前記チェーンに沿って移動可能な装身具において、
前記台座がチェーンに沿って移動するとき、台座とチェーンとの間に摩擦を付与する摩擦付与手段が設けられ、該摩擦付与手段は、チェーンの一部を台座に押圧するばね手段から成っていることを特徴とする装身具。
【請求項２】
前記ばね手段は、前記台座に形成された内部空間内に配置された一枚の板ばねを有し、該板ばねは、台座に取付けられる取付部と、この取付部から延び前記チェーンの一部を前記台座の内壁に押圧するチェーン押圧部とを有することを特徴とする請求項１記載の装身具。
【請求項３】
前記ばね手段は、前記チェーンの一部を台座に圧接する押圧板と、該押圧板を押圧するコイルばねとを有することを特徴とする請求項１記載の装身具。
【請求項４】
平行に延びる２本のチェーン部分が形成されるように環状に配置されたチェーンと、前記２本のチェーン部分に移動可能に取付けられた複数の台座と、前記台座がチェーン部分に沿って移動するとき、前記台座とチェーン部分との間に摩擦を付与するように設けられた摩擦付与手段とを備え、前記台座のそれぞれには、前記２本のチェーンが貫通する孔が設けられていることを特徴とする装身具。
【発明の詳細な説明】
【技術分野】
【０００１】
本発明は、装身具、特に、ネックレスの改良に関するものである。
【背景技術】
【０００２】
一般に、ネックレスは、チェーンと、このチェーンに固定された台座とから成り、この台座に任意の宝石等が取付けられている。最近、台座をチェーンに沿って移動可能に取付けて、チェーンの環状の長さを調整する装身具が知られている（特許文献１参照）。
【特許文献１】特開２０００−５０９２０号
【発明の開示】
【発明が解決しようとする課題】
【０００３】
しかしながら、この特許文献１に記載された装身具は、チェーンに取付けられた二つの台座のうち、一つのみが移動できるように構成され、他の一つは、チェーンに固定されたままであり、チェーンに取付けられた台座が全て移動するようには構成されていない。このため、チェーンの環状の長さを調整することができても、台座間の間隔を自在に調整することはできなかった。このことは、チェーン上に配置された台座のバランスよい配置を実現して、美観を良くすることができないことになる。しかも、台座内の空間にエラストマを充填してチェーンと台座との間に摩擦を付与するようにしているが、小さな台座内にエラストマを充填することは、きわめて困難であった。
【０００４】
そこで、本発明の目的は、チェーンに複数の台座を移動可能に設け、台座の位置並びに台座間の間隔を自在に調整することができるように構成し、且つ台座とチェーンとの間に適宜の摩擦を付与し、台座を任意の位置で確実に固定することができるようにした装身具を提供することにある。
【課題を解決するための手段】
【０００５】
かかる目的を達成するために、本発明の請求項１記載の装身具は、宝石が取付けられる台座と、この台座を貫通するチェーンとを有し、台座が前記チェーンに沿って移動可能な装身具において、台座がチェーンに沿って移動するとき、台座とチェーンとの間に摩擦を付与する摩擦付与手段が設けられ、この摩擦付与手段は、チェーンの一部を台座に押圧するばね手段から成っていることを特徴とする。
【０００６】
更に、本発明の請求項４記載の装身具は、平行に延びる２本のチェーン部分が形成されるように環状に配置されたチェーンと、２本のチェーン部分に移動可能に取付けられた複数の台座と、台座がチェーン部分に沿って移動するとき、台座とチェーン部分との間に摩擦を付与するように設けられた摩擦付与手段とを備え、台座のそれぞれには、２本のチェーンが貫通する孔が設けられていることを特徴とする。
【発明の効果】
【０００７】
本発明によれば、チェーン上の全ての台座を自在に移動できるように構成し、これによって、宝石を取付けた台座をバランス良くチェーン上に配置することができ、このように構成された装身具を装着したとき、外観が美しく且つファッション性が、きわめてすぐれている。また、台座とチェーンとの間の摩擦手段がばね手段によって構成されているので、堅固で且つ確実な摩擦をチェーンに付与することができ、従って、台座を常に確実に任意の位置に固定することができる。
【発明を実施するための最良の形態】
【０００８】
以下、本発明の実施の形態を、図面を参照して詳細に説明する。
図１には、本発明に係る装身具が示されており、この装身具は、チェーン１と、このチェーン１に取付けられた複数の台座２とを備えている。チェーン１は、通常のように、金、プラチナ、シルバーなどの装飾を施したものから成っている。このチェーン１は、図１に示す如く、環状Ｒに配置される。従って、このチェーン１には、平行に延びる２本のチェーン部分３ａ，３ｂが形成される。
【０００９】
複数の台座２は、例えば、図１および図２に示すように、内部に空間４が形成された円筒状の形状を有し、その上面にはダイヤなどの宝石８が台座２の周辺部に設けられた爪９などによって固定される。これら台座２には、また、適宜の装飾が施されている。
【００１０】
なお、図１に示す実施例では、全ての台座２が円筒形を有しているが、複数の台座２をそれぞれ異なる形状に形成することができ、また、これら形状に合わせて別の装飾を施すこともできる。このようにすると、種々の装飾効果を発揮することができる。
【００１１】
これら台座２は、図２に示すように、その側周面に周方向に間隔をあけて配置された第一の一対の貫通孔５ａと、第二の一対の貫通孔５ｂが設けられている。チェーン部分３は、第一の一対の貫通孔５ａに通され、チェーン部分３ｂは、第二の一対の貫通孔５ｂに通されている。従って、複数の台座２は、チェーン部分３ａ，３ｂに移動可能に取付けられる。更に詳細に述べると、チェーン部分３ａは、第一の一対の貫通孔５ａの一方の貫通孔から台座２内の空間部４内に入り、この空間部４の内周壁６に沿って他方の貫通孔から出るようになっており、チェーン部分３ｂもまた同様に、第二の一対の貫通孔５ｂの一方の貫通孔から台座２内の空間部４内に入り、この空間部４の内周壁６に沿って他方の貫通孔から出るようになっている（図２参照）。
【００１２】
なお、図１において、符号７ａ，７ｂは、チェーン１の両端、換言すると、チェーン部分３ａ，３ｂの端部に設けられたストッパであり、これらストッパ７ａ，７ｂは、台座２がチェーン部分３ａ，３ｂから抜けないようにするため上記貫通孔５ａ，５ｂの径より大きく作られている。
【００１３】
前記台座２がチェーン部分３ａ，３ｂに沿って移動するとき、台座２とチェーン部分３ａ，３ｂとの間に摩擦を付与するように摩擦付与手段１０が設けられている。この摩擦付与手段１０の一実施例が図３に示されている。この実施例の摩擦付与手段１０は、チェーン１、即ち、チェーン部分３ａ，３ｂの一部を台座２に押圧するばね手段から成っている。
【００１４】
さらに、詳細に述べると、このばね手段は、台座２内に形成された空間部４内に配置された一枚の板ばね１１を有し、この板ばね１１は、台座２に取付けられる取付部１２と、この取付部１２から延びチェーン部分３ａ，３ｂの一部を台座２の内周壁６に押圧する一対のチェーン押圧部１３ａ，１３ｂとを有する。前記取付部１２は、板ばね１１の中央部をおおよそ直角に折り曲げ、台座２の底面に立設された軸１４と内周壁６との間に差し込むことで固定されている。従って、チェーン部分３ａ，３ｂは、この板ばね１１によって、台座２の内周壁６に適宜の押圧力で押圧され、このため、台座２に適宜の摩擦あるいは抵抗力を付与させつつ、台座２をチェーン部分３ａ，３ｂに沿って移動させることができ、且つ台座２をチェーン部分３ａ，３ｂの任意の位置に確実に固定させることができる。
【００１５】
なお、板ばね１１の両先端１１ａ，１ｂは、台座２がチェーン部分３ａ，３ｂに沿って移動するとき、この板ばね先端１１ａ，１１ｂがこれらチェーン部分３ａ，３ｂに引っかからないように、台座２の内側におおよそ９０度折り曲げられている。
【００１６】
なお、図２及び図３において、台座２の底面には中心部に大きな開口１５が設けられている。この開口１５は、台座２に取り付けたダイヤなどの宝石８の輝きを裏面側にも放出するためのものである。
【００１７】
図４には前記ばね手段の他の実施例が示されている。この実施例におけるばね手段は、台座２の空間部４内に配置された板ばね２０を有する。この板ばね２０は、台座２の底面の略中央部に取付けられた軸２１に固定された取付部２２と、この取付部２２から延びチェーン部分３ａ，３ｂの一部を台座２の内周壁６に押圧する一対のチェーン押圧部２３ａ，２３ｂとを備えている。この実施例のばね手段は、図３に示された実施例に対して、板ばね２０の形状と、この板ばね２０を取付ける位置が異なっているが、チェーン部分３ａ，３ｂの一部を台座２の内周壁６に押圧する作用効果は前記実施形態と同様である。
【００１８】
図５にはばね手段のさらに他の実施例が示されている。この実施例におけるばね手段は、チェーン部分３ａ，３ｂの一部を台座２の内周壁６に圧接する一対の押圧板３０ａ，３０ｂと、これら押圧板３０ａ，３０ｂを押圧する一対のコイルばね３１ａ，３１ｂとを有する。これらコイルばね３１ａ，３１ｂは、各押圧板３０ａ，３０ｂに設けられたスタッド３２ａ，３２ｂと、台座２の底面の略中央部に固定された軸３３から両側に延びるスタッド３４ａ，３４ｂとの間に設けられている。
【００１９】
上記図４および図５に示す実施例においても、図３に示した実施例と同様に、台座２に適宜の抵抗力を付与しながら、台座２をチェーン部分３ａ，３ｂに沿って移動することができ、且つ、台座２をチェーン部分３ａ，３ｂの任意の位置で確実に固定することができる。
【００２０】
上記の如き構成からなる装身具は、使用時、図１に示す環状部Ｒに使用者の首を通す。この環状部Ｒの大きさは、最上部の台座を移動することによって調節することができる。この場合、最上部の台座を移動したとき、二番目、又は三番目の台座を移動して、各台座間の間隔を調整してファッション性を高めることができる。
【産業上の利用可能性】
【００２１】
本発明によれば、上述したように、美しい外観の装身具を提供することができると共に、台座を任意の位置に確実に止めることができる装身具を提供することができるという実益がある。
【図面の簡単な説明】
【００２２】
【図１】本発明に係る装身具の全体形状を示す斜視図である。
【図２】図１に示された装身具の台座の部分を示す斜視図である。
【図３】チェーンと台座との間に摩擦を付与する摩擦付与手段の一実施例を示す断面図である。
【図４】摩擦付与手段の他の実施例を示す断面図である。
【図５】摩擦付与手段の更に他の実施例を示す断面図である。
【符号の説明】
【００２３】
１              チェーン
２              台座
３ａ，３ｂ      チェーン部分
４              空間部
５ａ，５ｂ      貫通孔
６              内周壁
１０            摩擦付与手段
１１            板ばね
１２            取付部
１３ａ，１３ｂ  チェーン押圧部
２０ａ，２０ｂ  板ばね
３１ａ，３１ｂ  コイルばね
【図１】
2005287999.tif 000003
【図２】
2005287999.tif 000004
【図３】
2005287999.tif 000005
【図４】
2005287999.tif 000006
【図５】
2005287999.tif 000007